(57)【要約】【課題】蛍光ランプの端部（ソケット取付部分）からの温度低下を防止して、低温状態での蛍光ランプの光出力の低下を防止することを目的とする。【解決手段】ソケットカバー１は、照明器具の本体部４０に設けられたソケット４１を挿入可能なソケット挿入用空洞を有するソケット挿入部７を備える。またソケットカバー１は、ソケット４１に取り付けられる蛍光ランプ３０の端部を挿入可能なランプ挿入用空洞を有するランプ挿入部２とを備える。ランプ挿入部２は、取り付けられた蛍光ランプ３０の端部の管外面に密着する。ソケット挿入用空洞に挿入されたソケット４１に、ランプ挿入用空洞に挿入された蛍光ランプ３０を取り付けた場合、ソケット挿入部７の挿入口を有するソケット挿入面８は、本体部４０に密着する。【選択図】図２
2007265941.tif 000002
【特許請求の範囲】
【請求項１】
蛍光ランプの端部と、照明器具の本体部に設けられたソケットとを覆うソケットカバーであり、
蛍光ランプが挿入可能な略円柱形のランプ挿入用空洞を有し、蛍光ランプの端部から少なくとも高温部までの管外面を、弾性により略密着して覆うランプ挿入部と、
蛍光ランプを着脱可能に取り付けるソケットを挿入可能であり上記ランプ挿入部が有するランプ挿入用空洞と連結されたソケット挿入用空洞を有するソケット挿入部と、
上記ソケット挿入部が有するソケット挿入用空洞の入り口部分である挿入口が設けられた面であり、上記ソケット挿入用空洞へソケットが挿入されて挿入されたソケットに上記ランプ挿入用空洞へ挿入された蛍光ランプが取り付けられた場合、上記ソケットが設けられた本体部と略密着するソケット挿入面と
を備えることを特徴とするソケットカバー。
【請求項２】
上記ランプ挿入用空洞は、蛍光ランプの管外面に取り付けられる略円筒形に形成された伝熱部材を挿入可能に形成され、
上記ランプ挿入部は、上記ランプ挿入用空洞に上記伝熱部材と蛍光ランプとが挿入された場合、上記蛍光ランプの管外面に上記伝熱部材を介して略密着する
ことを特徴とする請求項１記載のソケットカバー。
【請求項３】
上記ソケットカバーは、さらに、
蛍光ランプの外周との間に所定の空間を設けつつ、蛍光ランプを内部に収容する第１保温カバーの端部を挿入可能な空洞を有する第１保温カバー挿入部と、
上記ランプ挿入部と上記第１保温カバー挿入部との間に設けられ、上記蛍光ランプの端部と上記第１保温カバーの端部との間の空間を埋める第１パッキン部と
を備えることを特徴とする請求項１記載のソケットカバー。
【請求項４】
上記ソケットカバーは、さらに、
上記第１保温カバーの外周との間に所定の空間を設けつつ、上記第１保温カバーを内部に収容する第２保温カバーの端部を挿入可能な空洞を有する第２保温カバー挿入部と、
上記第１保温カバー挿入部と上記第２保温カバー挿入部との間に設けられ、上記第１保温カバーと上記第２保温カバーの端部との間の空間を埋める第２パッキン部と
を備えることを特徴とする請求項３記載のソケットカバー。
【請求項５】
上記ランプ挿入部は、蛍光ランプの外周との間に所定の空間を設けつつ、蛍光ランプを内部に収容する保温カバーを装着した蛍光ランプを挿入可能なランプ挿入用空洞を有することを特徴とする請求項１記載のソケットカバー。
【請求項６】
上記ソケットカバーは、さらに、
上記ソケット挿入面を上記本体部に略密着させて上記ソケットカバーを上記本体部に取り付けるソケットカバー固定部材
を備えることを特徴とする請求項１記載のソケットカバー。
【請求項７】
上記ソケットカバーは、独立気泡の素材を使用して形成されることを特徴とする請求項１記載のソケットカバー。
【請求項８】
請求項１記載のソケットカバーを備えることを特徴とする低温用照明器具。
・
【発明の詳細な説明】
【技術分野】
【０００１】
本発明は、例えば、低温室などにおいて使用される低温用の照明器具に関する技術である。
【背景技術】
【０００２】
低温室などにおいて使用される低温用照明器具は、低温による光出力の低下を抑える必要がある。そこで、蛍光ランプの管外面をカバーで覆い、蛍光ランプの管外面とカバーとの間に、空気よりも熱伝導性の低いガスを入れることで蛍光ランプを保温する技術がある。
【特許文献１】特開昭５２−１０４３８２号公報
【発明の開示】
【発明が解決しようとする課題】
【０００３】
蛍光ランプをカバーで覆った場合であっても、蛍光ランプのソケット取付部分は蛍光ランプが露出してしまうため保温効果が低いという課題がある。
本発明は、蛍光ランプのソケット取付部分の温度低下を防ぐことを目的とし、低温状態での蛍光ランプの光出力の低下を防止することを目的とする。
【課題を解決するための手段】
【０００４】
本発明に係るソケットカバーは、例えば、蛍光ランプの端部と、照明器具の本体部に設けられたソケットとを覆うソケットカバーであり、
蛍光ランプが挿入可能な略円柱形のランプ挿入用空洞を有し、蛍光ランプの端部から少なくとも高温部までの管外面を、弾性により略密着して覆うランプ挿入部と、蛍光ランプを着脱可能に取り付けるソケットを挿入可能であり上記ランプ挿入部が有するランプ挿入用空洞と連結されたソケット挿入用空洞を有するソケット挿入部と、上記ソケット挿入部が有するソケット挿入用空洞の入り口部分である挿入口が設けられた面であり、上記ソケット挿入用空洞へソケットが挿入されて挿入されたソケットに上記ランプ挿入用空洞へ挿入された蛍光ランプが取り付けられた場合、上記ソケットが設けられた本体部と略密着するソケット挿入面とを備えることを特徴とする。
【発明の効果】
【０００５】
本発明に係るソケットカバーによれば、蛍光ランプの端部から高温部までとソケットとを覆うため、蛍光ランプの端部（ソケット取付部分）を保温することが可能である。したがって、蛍光ランプの温度低下を防ぐことができ、低温状態での蛍光ランプの光出力の低下を防止することができる。
【発明を実施するための最良の形態】
【０００６】
以下、図に基づき本発明の実施の形態について説明する。
【０００７】
実施の形態１．
まず、実施の形態１について説明する。実施の形態１では、蛍光ランプの端部から高温部までと照明器具の本体部４０に設けられたソケットとを覆うソケットカバー１について説明する。
【０００８】
図１は、実施の形態１に係るソケットカバー１の斜視図である。図１の（ａ）は、実施の形態１に係るソケットカバー１の前面部１０側の斜視図であり、（ｂ）は、実施の形態１に係るソケットカバー１の背面部２０側の斜視図である。図１の斜線部分はランプ挿入部２に挿入された伝熱部材３３である。図２は、実施の形態１に係るソケットカバー１と各部材との関係を示す図である。
【０００９】
図１に示すように、ソケットカバー１は、前面部１０に、ランプ挿入部２、第１保温カバー挿入部３、第２保温カバー挿入部４、第１パッキン部５、第２パッキン部６を備える。また、ソケットカバー１は、ソケット挿入面８に、ソケット挿入部７を備える。
ランプ挿入部２は、蛍光ランプ３０が挿入可能な略円柱形のランプ挿入用空洞を有する。ランプ挿入部２は、蛍光ランプ３０がランプ挿入用空洞に挿入された場合、蛍光ランプ３０の端部から少なくとも高温部までの管外面を、弾性により略密着して覆う。また、ランプ挿入用空洞は、蛍光ランプ３０の管外面に取り付けられる略円筒形に形成された伝熱部材３３を挿入可能に形成される。ランプ挿入部２は、ランプ挿入用空洞に伝熱部材３３と蛍光ランプ３０とが挿入された場合、蛍光ランプ３０の管外面に伝熱部材３３を介して略密着する。つまり、伝熱部材３３は、蛍光ランプ３０の管外面に略密着する。ここで、伝熱部材３３は、蛍光ランプ３０の最冷点部と高温部との管外面を覆うアルミや銅などの熱伝導性の高い部材である。蛍光ランプ３０は、伝熱部材３３を装着することにより、高温部の熱を最冷点部に伝えることで、最冷点部の温度を上昇させることができる。伝熱部材３３を管外面に取り付けられた蛍光ランプ３０をランプ挿入用空洞に挿入することで、伝熱部材３３は、蛍光ランプ３０の管外面に略密着するため、さらに、伝熱部材３３による熱伝導率を高めることができる。また、ここで最冷点部とは、蛍光ランプのガラス部最端の口金付近であり、高温部とは、フィラメント付近である。
第１保温カバー挿入部３は、蛍光ランプ３０の外周との間に所定の空間を設けつつ、蛍光ランプ３０を内部に収容する第１保温カバー３４（保温カバー）の端部を挿入可能な空洞を有する。
第２保温カバー挿入部４は、第１保温カバー３４の外周との間に所定の空間を設けつつ、第１保温カバー３４を内部に収容する第２保温カバー３５（保温カバー）の端部を挿入可能な空洞を有する。
第１パッキン部５は、ランプ挿入部２と第１保温カバー挿入部３との間に設けられ、蛍光ランプ３０の端部と第１保温カバー３４の端部との間の空間を埋める。つまり、第１パッキン部５の内壁は、ランプ挿入用空洞に挿入された蛍光ランプ３０の端部の管外面と略密着し、第１パッキン部５の外壁は、第１保温カバー挿入部３に挿入された第１保温カバー３４の端部の内壁と略密着する。
第２パッキン部６は、第１保温カバー挿入部３と第２保温カバー挿入部４との間に設けられ、第１保温カバー３４と第２保温カバー３５の端部との間の空間を埋める。つまり、第２パッキン部６の内壁は、第１保温カバー挿入部３に挿入された第１保温カバー３４の端部の外壁と略密着し、第２パッキン部６の外壁は、第２保温カバー挿入部４に挿入された第２保温カバー３５の端部の内壁と略密着する。
ソケット挿入部７は、蛍光ランプ３０を着脱可能に取り付けるソケットを挿入可能であり、ランプ挿入部２が有するランプ挿入用空洞と連結されたソケット挿入用空洞を有する。ソケット挿入用空洞と第１保温カバー挿入部３が有する空洞や第２保温カバー挿入部４が有する空洞とは連結している必要はない。
ソケット挿入面８は、ソケット挿入部７が有するソケット挿入用空洞の入り口部分である挿入口が設けられた面である。また、ソケット挿入面８は、ソケット挿入用空洞へソケットが挿入されて、挿入されたソケットにランプ挿入用空洞へ挿入された蛍光ランプ３０が取り付けられた場合、ソケットが設けられた本体部４０と略密着する。
一方、背面部２０側には、空洞はなく、ランプ挿入用空洞は、ソケット挿入面８にある挿入口以外に外部と接続されていない。つまり、ソケット挿入面８にある挿入口を塞ぐことで、蛍光ランプ３０の端部を外気から遮断することができる。
【００１０】
図２に示すように、ランプ挿入部２が有するランプ挿入用空洞へ蛍光ランプ３０を挿入し、ソケット挿入部７が有するソケット挿入用空洞へソケット４１を挿入して、蛍光ランプ３０をソケット４１に取り付ける。すると、ソケット挿入面８は、本体部４０と略密着する。また、ソケットカバー１にプラスチックなどの爪付のソケットカバー固定部材９を取り付けし、さらに、ソケットカバー固定部材９の爪を本体部４０の取付穴に取り付けることで、ソケット挿入面８と本体部４０との密着性がさらに増す。
【００１１】
実施の形態１に係るソケットカバー１によれば、蛍光ランプ３０の端部からソケット４１までを覆い、ソケット挿入面８が本体部４０と略密着する。したがって、蛍光ランプ３０の端部が外気と触れることはない。よって、蛍光ランプ３０の端部からの温度低下を防ぐことができる。
また、実施の形態１に係るソケットカバー１によれば、第１保温カバー３４を挿入可能な空洞を有する第１保温カバー挿入部３を備える。また、第１保温カバー挿入部３が有する空洞に挿入された第１保温カバー３４と蛍光ランプ３０との間の空間を第１パッキン部５が埋める。したがって、第１保温カバー３４と蛍光ランプ３０との間の空間は気密性が高いため、空気層による断熱効果が生まれ、蛍光ランプ３０の温度低下を防ぐことができる。
さらに、実施の形態１に係るソケットカバー１によれば、第２保温カバー３５を挿入可能な空洞を有する第２保温カバー挿入部４を備える。また、第２保温カバー挿入部４が有する空洞に挿入された第２保温カバー３５と第１保温カバー３４との間の空間を第２パッキン部６が埋める。したがって、第２保温カバー３５と第１保温カバー３４との間の空間は気密性が高いため、空気層による断熱効果が生まれ、さらに蛍光ランプ３０の温度低下を防ぐことができる。
また、さらに、実施の形態１に係るソケットカバー１によれば、低温用に作られた照明器具でない一般の照明器具であっても、伝熱部材３３、第１保温カバー３４、第２保温カバー３５などを取り付けることが可能になる。したがって、一般の照明器具を低温用の照明器具として使用することができる。
また、実施の形態１に係るソケットカバー１は取り外しが可能に取り付けられるため、低温環境の中でのランプ交換等の器具取り外しが容易にできる。
【００１２】
また、ソケットカバー１は、ＥＰＤＭ（エチレンプロピレンゴム）やシリコンなどの樹脂を使用した独立気泡（スポンジ状）の素材を用いることで、弾力性により反射板（本体部４０）や第１保温カバー３４、第２保温カバー３５に密着させ外気を遮断することができる。また、蛍光ランプの外径の公差にも弾力性により対応できる。さらに、気泡により形成される空気層により保温できる。
【００１３】
実施の形態２．
次に、実施の形態２について説明する。実施の形態２では、保温カバーが取り付けされた蛍光ランプ３０を挿入可能なソケットカバー１について説明する。
【００１４】
図３は、実施の形態２に係るソケットカバー１の斜視図である。図３の（ａ）は、実施の形態２に係るソケットカバー１の前面部１０側の斜視図であり、（ｂ）は、実施の形態２に係るソケットカバー１の背面部２０側の斜視図である。図４は、実施の形態２に係るソケットカバー１と各部材との関係を示す図である。また、図４では、伝熱部材３３を透明で示し、フィラメント部３２が見える状態とした。
実施の形態２に係るソケットカバー１は一体型ランプ挿入部１２を備える。一体型ランプ挿入部１２は、第１保温カバー３４と第２保温カバー３５とを取り付けられた蛍光ランプ３０を挿入可能な一体型ランプ挿入用空洞を有する。したがって、第１保温カバー挿入部３、第２保温カバー挿入部４は必要ない。一方、蛍光ランプ３０と第１保温カバー３４との間、第１保温カバー３４と第２保温カバー３５との間には独自のパッキンを備える必要がある。また、第１保温カバー３４を取り付けられる蛍光ランプ３０には伝熱部材３３が取り付けられていても構わない。
ソケット挿入部７は、蛍光ランプ３０を着脱可能に取り付けるソケットを挿入可能であり、一体型ランプ挿入部１２が有する一体型ランプ挿入用空洞と連結されたソケット挿入用空洞を有する。ソケット挿入面８は、ソケット挿入用空洞へソケットが挿入されて、挿入されたソケットに一体型ランプ挿入用空洞へ挿入された蛍光ランプ３０が取り付けられた場合、ソケットが設けられた本体部４０と略密着する。
【００１５】
実施の形態２に係るソケットカバー１は、実施の形態１と同様の効果を有する。また、実施の形態２に係るソケットカバー１は、実施の形態１に係るソケットカバー１に比べ、形状が単純であり、製造が容易である。
【００１６】
また、実施の形態２に係るソケットカバー１は、ソケットカバー固定部材９を備えていても構わない。
【００１７】
実施の形態３．
次に、実施の形態３について説明する。実施の形態３では、ソケット４１が本体部４０の側面部に備えられる場合のソケットカバー１について説明する。
【００１８】
図５は、実施の形態３に係るソケットカバー１の斜視図である。図５の（ａ）は、実施の形態３に係るソケットカバー１の前面部１０側の斜視図であり、（ｂ）は、実施の形態３に係るソケットカバー１の背面部２０側の斜視図である。図６は、実施の形態３に係るソケットカバー１と各部材との関係を示す図である。
図６に示すように、本体部４０の側面部４２にソケット４１が設けられている場合、実施の形態１に係るソケットカバー１ではソケット４１を挿入することができない。そこで、図５の（ｂ）に示すように、実施の形態３に係るソケットカバー１は、ソケット挿入部７が有するソケット挿入用空洞の入り口部分である挿入口を背面部２０に備える。つまり、実施の形態３のソケット挿入面８と背面部２０とは同じ面である。ソケット挿入面８は、ソケット挿入用空洞へソケットが挿入されて、挿入されたソケットにランプ挿入用空洞へ挿入された蛍光ランプ３０が取り付けられた場合、ソケットが設けられた側面部４２と略密着する。その他は、実施の形態１に係るソケットカバー１と同様である。
【００１９】
図７は、ソケット４１が本体部４０の側面部４２に備えられる場合の、保温カバーが取り付けされた蛍光ランプ３０を挿入可能なソケットカバー１の側面図である。図７の（ａ）は、前面部１０側の斜視図であり、（ｂ）は、背面部２０側の斜視図である。
図７に（ｂ）に示すように、上記同様にソケットカバー１は、ソケット挿入部７が有するソケット挿入用空洞の入り口部分である挿入口を背面部２０に備える。
【００２０】
実施の形態３に係るソケットカバー１によれば、ソケット４１が本体部４０の側面部４２に備えられる場合であっても取付可能である。
【００２１】
実施の形態４．
次に、実施の形態４について説明する。実施の形態４では、上記実施の形態で説明したソケットカバー１、第１保温カバー３４、第２保温カバー３５、伝熱部材３３を装着した場合の保温力と光出力について測定した結果について説明する。
【００２２】
図８は、周囲温度が−３０℃である場合の測定結果を示す図である。図９は、図８に示す再点灯時における光出力最大値に対する光出力実測値の割合を示した棒グラフである。
図８において、試験Ｎｏ（試Ｎｏ）１は、ダブルカバーを装着した場合の結果である。ダブルカバーを装着した場合とは、器具本体に、第１保温カバー３４と第２保温カバー３５とを装着した場合である。試験Ｎｏ２は、ダブルカバーとソケットカバー１とを装着した場合の結果である。試験Ｎｏ３は、ダブルカバーとソケットカバー１と伝熱部材３３とを装着した場合の結果である。試験Ｎｏ４は、トリプルカバーとソケットカバー１と伝熱部材３３とを装着した場合の結果である。トリプルカバーを装着した場合とは、第１保温カバー３４と第２保温カバー３５と、さらに、その外側に第３保温カバーとを装着した場合である。つまり、第１保温カバー３４と第２保温カバー３５と第３保温カバーとソケットカバー１と伝熱部材３３とを装着した場合である。
また、図８では、試験毎に、初期点灯時、再点灯時、光出力最大値の３つについて、５箇所の温度と光出力の実測値及び光出力最大値に対する割合を示す。温度を測定した５箇所とは、口金部３１のガラス管反対側の端部である口金角、ガラス管最端、フィラメント部、ランプ中央から端部方向へ２００ｍｍ離れた部分、及びランプ中央である。
また、ここでは、まず蛍光ランプを常温（２５℃）で保管し、その後冷却する（−３０℃）。そして、点灯させて光安定に入り消灯する。この点灯から消灯までを初期点灯と呼ぶ。次に、再び冷却する（−３０℃）。そして、点灯させて光安定に入り消灯する。この点灯から消灯までを再点灯と呼ぶ。
【００２３】
その結果、５箇所の温度計測箇所の内、試験Ｎｏ１，２，４では、ガラス部最端部の温度が最も低くなった。つまり、ガラス部最端部が最冷点であることがわかった。しかし、試験Ｎｏ３では、ランプ中央から端部方向へ２００ｍｍ離れた部分の温度が最も低くなった。つまり、最冷点が試験Ｎｏ３の場合だけ移動している。これは、試験Ｎｏ３では、蛍光ランプ３０の端部についてはダブルカバー、ソケットカバー１、伝熱部材３３により保温されているが、蛍光ランプ３０のその他の部分については、ダブルカバーのみで保温されているためである。また、各試験において、最冷点の温度は変化しており、また光出力も変化している。
試験Ｎｏ１の場合には、最冷点部の温度は、初期点灯時で４．８℃、再点灯時で４．１℃であった。そして、光出力最大値に対する光出力は、初期点灯時で１５．９％、再点灯時で１４．７％であった。試験Ｎｏ２の場合には、最冷点部の温度は、初期点灯時で９．３℃、再点灯時で９．６℃であった。そして、光出力最大値に対する光出力は、初期点灯時で２７．０％、再点灯時で２７．０％であった。試験Ｎｏ３の場合には、最冷点部の温度は、初期点灯時で２２．０℃、再点灯時で２２．１℃であった。そして、光出力最大値に対する光出力は、初期点灯時で７１．５％、再点灯時で７１．５％であった。試験Ｎｏ４の場合には、最冷点部の温度は、初期点灯時で３５．３℃、再点灯時で３５．６℃であった。そして、光出力最大値に対する光出力は、初期点灯時で９４．３％、再点灯時で９４．２％であった。
ダブルカバーを装着した場合に比べ、ダブルカバーとソケットカバー１とを装着した場合には、光出力が約１．６〜１．７倍になっている。また、ダブルカバーとソケットカバー１とを装着した場合に比べ、ダブルカバーと伝熱部材３３とソケットカバー１とを装着した場合には、光出力が約２．６倍になっている。また、ダブルカバーと伝熱部材３３とソケットカバー１とを装着した場合に比べ、トリプルカバーと伝熱部材３３とソケットカバー１とを装着した場合には、光出力が約１．３倍になっている。
また、図８、図９に示すように、光出力の最大値と比較した場合に、トリプルカバーと伝熱部材３３とソケットカバー１とを装着した場合には約９４％の出力値であり、その効果は明らかである。
【００２４】
図１０は、蛍光ランプ内の水銀の位置を示す図である。図１０の（ａ）は、常温時の水銀の位置を示し、（ｂ）は、低温時の水銀の位置を示す。
蛍光ランプ内の水銀は、蛍光ランプが冷えると液状化し、最冷点部分に集まる。つまり、常温時には（ａ）に示すように水銀は常温時の最冷点である蛍光ランプのガラス管中央よりにある。しかし、蛍光ランプが冷却され保温が十分でないと、口金部分が特に冷え最冷点が口金よりに移動するため、（ｂ）に示すように水銀は蛍光ランプのガラス管口金よりに移動する。
水銀の液状化が進むと蛍光ランプの光出力が落ちる。そこで、液状化した水銀が多く集まる最冷点部分の温度を上げる必要がある。図８、図９に示す試験Ｎｏ１，２，４においても、最冷点は、蛍光ランプのガラス部最端である。また、試験Ｎｏ３においては、最終的には最冷点はガラス部最端ではなくなっているが、途中時点ではガラス部最端が最冷点であったと考えられる。そのため、図８、図９に示す各試験において、蛍光ランプのガラス管最端の温度は蛍光ランプの光出力と密接に関連している。
【００２５】
図１１、図１２、図１３、図１４は、蛍光ランプの光出力と蛍光ランプのガラス管最端の温度の関係を示す図である。光出力については、光出力最大値に対する光出力の割合を示している。図１１は、試験Ｎｏ１に対応しダブルカバーを装着した場合の光出力と温度の関係を示す。図１２は、試験Ｎｏ２に対応しダブルカバーとソケットカバー１とを装着した場合の光出力と温度の関係を示す。図１３は、試験Ｎｏ３に対応しダブルカバーとソケットカバー１と伝熱部材３３とを装着した場合の光出力と温度の関係を示す。図１４は、試験Ｎｏ４に対応しトリプルカバーとソケットカバー１と伝熱部材３３とを装着した場合の光出力と温度の関係を示す。
図１１に示すように、ダブルカバーを装着した場合には、約２０分経過した場合に、温度は約０℃、光出力は約１５％となる。その後、温度は約４〜５℃まで上昇するが、光出力は約１５％で安定する。図１２に示すように、ダブルカバーとソケットカバー１とを装着した場合には、約２０分経過した場合に、温度は約０℃、光出力は約１５％となる。その後、約１時間経過した場合に、温度は約８℃、光出力は約２７％となり安定する。図１３に示すように、ダブルカバーと伝熱部材３３とソケットカバー１とを装着した場合には、約２０分経過した場合に、温度は約１６℃、光出力は約６２％となる。その後、約４０分経過した場合に、温度は約４２℃、光出力は約７１％となる。その後、温度は約２７℃まで上昇するが、光出力は約７１％で安定する。これは、最冷点がランプ中央から端部方向へ２００ｍｍ離れた部分へ移動しているためであると考えられる。図１４に示すように、トリプルカバーと伝熱部材３３とソケットカバー１とを装着した場合には、約２０分経過した場合に、温度は約１９℃、光出力は約５５％となる。その後、約１時間経過した場合に、温度は約３５℃、光出力は約９４％となり安定する。
【００２６】
以上をまとめると、周囲温度が−３０℃の場合には、トリプルカバーと伝熱部材３３とソケットカバー１とを装着するのがよい。また、周囲温度の違いによって使用する部材を変更しても構わない。
例えば、０℃〜−５℃では、第１保温カバー３４とソケットカバー１とを装着し、−１０℃では、第１保温カバー３４と伝熱部材３３とソケットカバー１とを装着し、−３０℃では、トリプルカバーと伝熱部材３３とソケットカバー１とを装着するとしてもよい。
【図面の簡単な説明】
【００２７】
【図１】実施の形態１に係るソケットカバー１の斜視図。
【図２】実施の形態１に係るソケットカバー１と各部材との関係を示す図。
【図３】実施の形態２に係るソケットカバー１の斜視図。
【図４】実施の形態２に係るソケットカバー１と各部材との関係を示す図。
【図５】実施の形態３に係るソケットカバー１の斜視図。
【図６】実施の形態３に係るソケットカバー１と各部材との関係を示す図。
【図７】ソケット４１が本体部４０の側面部に備えられる場合の、保温カバーが取り付けされた蛍光ランプ３０を挿入可能なソケットカバー１の側面図。
【図８】周囲温度が−３０℃である場合の測定結果を示す図。
【図９】図８に示す再点灯時における光出力最大値に対する光出力実測値の割合を示した棒グラフ。
【図１０】蛍光ランプ内の水銀の位置を示す図。
【図１１】試験Ｎｏ１に対応しダブルカバーを装着した場合の光出力と温度の関係を示す図。
【図１２】試験Ｎｏ２に対応しダブルカバーとソケットカバー１とを装着した場合の光出力と温度の関係を示す図。
【図１３】試験Ｎｏ３に対応しダブルカバーと伝熱部材３３とソケットカバー１とを装着した場合の光出力と温度の関係を示す図。
【図１４】試験Ｎｏ４に対応しトリプルカバーと伝熱部材３３とソケットカバー１とを装着した場合の光出力と温度の関係を示す図。
【符号の説明】
【００２８】
１  ソケットカバー、２  ランプ挿入部、３  第１保温カバー挿入部、４  第２保温カバー挿入部、５  第１パッキン部、６  第２パッキン部、７  ソケット挿入部、８  ソケット挿入面、９  ソケットカバー固定部材、１０  前面部、１１  背面部、１２  一体型ランプ挿入部、３０  蛍光ランプ、３１  口金部、３２  フィラメント部、３３  伝熱部材、３４  第１保温カバー、３５  第２保温カバー、４０  本体部、４１  ソケット、４２  側面部。
【図１】
2007265941.tif 000003
【図２】
2007265941.tif 000004
【図３】
2007265941.tif 000005
【図４】
2007265941.tif 000006
【図５】
2007265941.tif 000007
【図６】
2007265941.tif 000008
【図７】
2007265941.tif 000009
【図８】
2007265941.tif 000010
【図９】
2007265941.tif 000011
【図１０】
2007265941.tif 000012
【図１１】
2007265941.tif 000013
【図１２】
2007265941.tif 000014
【図１３】
2007265941.tif 000015
【図１４】
2007265941.tif 000016